(57)【要約】      （修正有）【課題】加工と組立てが便利で、回転蓋とガン体との間の連接が堅固で安定し、照準を正確に合わせることができ、使用寿命を延長することもできるリボンガンの構造を提供する。【解決手段】リボンガンの構造は、ガン体、撃発装置、回転蓋２０、リボン弾ユニットを備え、ガン体前端の開口部には回転蓋２０を可動状態で設置し、回転蓋２０には貫通孔２５を開設し、リボン弾ユニットはガン体内に設置し、リボン弾ユニットは、円形に排列して相互に接続する複数のリボン弾を備え、これにより撃発装置がリボン弾ユニットのリボン弾を撃発すると、リボン、カラーペーパーを外へと発射することがでる。【選択図】図２
2010269080.tif 000002
【特許請求の範囲】
【請求項１】
ガン体、撃発装置、回転蓋、リボン弾ユニットを備え、
前記ガン体前端の開口部には、前記回転蓋を可動状態で設置し、前記回転蓋には、貫通孔を開設し、前記リボン弾ユニットは、前記ガン体内に設置し、
前記リボン弾ユニットは、円形に排列して相互に接続する複数のリボン弾を備え、これにより前記撃発装置が前記リボン弾ユニットのリボン弾を撃発すると、リボン、カラーペーパーを外へと発射することができ、
前記リボン弾ユニットの軸芯には、各リボン弾外縁形状に対応して、回転孔を形成し、前記リボン弾一端には、点火雷管を設置し、
前記リボン弾ユニットは、前記回転孔に近い回転蓋位置において、径方向にストッパー板を形成し、前記ストッパー板には枢孔を開設し、
前記回転蓋周縁には、軸台と嵌合突起を設置し、前記軸台両側には、軸棒をそれぞれ設置し、それぞれ前記ガン体と接続し、これにより前記回転蓋は、前記軸棒の軸芯により、前記ガン体前端空間へと回り、前記リボン弾ユニットの交換、装填を行なうことができ、
前記嵌合突起は、嵌合部を設置し、それは前記ガン体に隣接し、前記ガン体頂点の先端に近い位置には、凸部を設置し、これにより前記嵌合突起は、前記嵌合部と前記凸部の相対嵌接により、前記回転蓋を定位し、前記ガン体の前端を封鎖し、
前記回転蓋は、支軸を設置し、支軸により枢孔に軸接続し、これにより前記リボン弾ユニットの定位の信頼性を向上させ、
前記回転蓋は、前記リボン弾ユニットの中央部分に向かい、圧迫制御部を設置し、前記圧迫制御部は、前記ストッパー板に対して圧迫制御を形成し、これにより、前記リボン弾ユニットを撃発装置へと移動させ、前記点火雷管と前記撃針を緊密に接触させ、発射の信頼性を向上させることを特徴とするリボンガンの構造。
【請求項２】
前記圧迫制御部は、前記支軸外周の環状体に形成することを特徴とする請求項１に記載のリボンガンの構造。
【請求項３】
前記回転蓋は、前記貫通孔の外周に、環状カバー縁を設置し、これによりガン管を、前記回転蓋に嵌設することを特徴とする請求項１に記載のリボンガンの構造。
【発明の詳細な説明】
【技術分野】
【０００１】
本発明はイベント、慶事用品に関し、特にリボン、カラーペーパーの噴射に用いるリボンガンの構造に関する。
【背景技術】
【０００２】
慶事やイベントなどの集まりでは、しばしばクラッカーを用い、各種のリボン、カラーペーパーを噴射して、雰囲気を盛り上げる。
【０００３】
従来のクラッカーは、主に筒状のクラッカー本体と引き紐により構成する。クラッカー本体内部には、各種のリボン、カラーペーパーを充填する。引き紐の一端をクラッカー本体内に進入させ、反対端はクラッカー本体外に延伸させ適当な長さを持たせる。クラッカーからリボン、カラーペーパーを噴射する時には、片手でクラッカー本体を持ち、もう一方の手で引き紐を引けば、クラッカー本体内部のリボン、カラーペーパーを外へと噴射することができる。しかし、従来のクラッカーは使用時には、しばしば不注意で引き紐が切れてしまい、リボン、カラーペーパーを噴射できないという問題が発生する。また、引き紐を何度も繰り返して引いた末に、ようやく発射できるという状況もしばしば見られ、つまりクラッカーの信頼性は低く、使用の面白みを大幅に低下させている。しかも、クラッカーを発射後は、クラッカー本体と引き紐は廃棄物となり、再利用することはできない。クラッカーは製造コストが低廉で、簡単に手に入れられるが、これでは資源の浪費である。
【０００４】
使用においてクラッカーの信頼性が低いという問題に対して、発明人は特許文献１のリボンガンとリボン弾などの物品を発明した。リボンガンは、確実、かつ効果的にリボン、カラーペーパー、少量の火薬を充填したリボン弾を発射することができ、これによりリボン、カラーペーパーを簡単に噴射することができる。特許文献１のリボンガンは、ガン体とガン管を備える。ガン体内には、引き金、撃針、回転ホイール、軸芯、牽引具を設置し、さらに可動回転蓋を設置する。可動回転蓋上下には、それぞれ突起を延伸し、上突起は、係合台によりガン体にほぞ接続される。下突起には、貫通孔を形成し、可動ピンは貫通孔を通過し、ガン端前端のピン槽に接続する。
【０００５】
しかし、上記した従来のリボンガンの構造は複雑で、加工と組立てに不利である。しかも使用時には、上突起が変形或いは折れ易く、このため可動回転蓋が緩んでしまうことがある。こうなると、回転蓋上の、リボン、カラーペーパーを通過させる通過孔は、回転ホイール中に充填し、発射されるのを待つリボン弾と、正確に対応しなくなってしまう。本発明は、従来のリボンガンの構造の上記した欠点に鑑みてなされたものである。
【先行技術文献】
【特許文献】
【０００６】
【特許文献１】米国特許ＵＳ６１２０３４６号
【発明の概要】
【発明が解決しようとする課題】
【０００７】
本発明が解決しようとする第一の課題は、加工と組立てが便利で、回転蓋とガン体との間の連接が堅固で安定し、照準を正確に合わせることができ、使用寿命を延長することもできるリボンガンの構造を提供することである。本発明が解決しようとする第二の課題は、回転蓋内縁の軸凸の凸軸と圧迫制御部により、リボン弾ユニットを相対させ定位し、撃針とリボン弾の点火雷管を緊密に接触させ、こうして発射の信頼性を向上させることができるリボンガンの構造を提供することである。
【課題を解決するための手段】
【０００８】
上記課題を解決するため、本発明は下記のリボンガンの構造を提供する。
リボンガンの構造は、ガン体、撃発装置、回転蓋、リボン弾ユニットを備え、
該ガン体前端の開口部には、該回転蓋を可動状態で設置し、
該回転蓋には、貫通孔を開設し、
該リボン弾ユニットは、該ガン体内に設置し、該リボン弾ユニットは、円形に排列して相互に接続する複数のリボン弾を備え、これにより該撃発装置が該リボン弾ユニットのリボン弾を撃発すると、リボン、カラーペーパーを外へと発射することができ、
該リボン弾ユニットの軸芯には、各リボン弾外縁形状に対応して、回転孔を形成し、該リボン弾一端には、点火雷管を設置し、
該リボン弾ユニットは、該回転孔に近い回転蓋位置において、径方向にストッパー板を形成し、該ストッパー板には枢孔を開設し、
該回転蓋周縁には、軸台と嵌合突起を設置し、該軸台両側には、軸棒をそれぞれ設置し、それぞれ該ガン体と接続し、これにより該回転蓋は、該軸棒の軸芯により、該ガン体前端空間へと回り、該リボン弾ユニットの交換、装填を行なうことができ、
該嵌合突起は、嵌合部を設置し、それは該ガン体に隣接し、該ガン体頂点の先端に近い位置には、凸部を設置し、これにより該嵌合突起は、該嵌合部と該凸部の相対嵌接により、該回転蓋を定位し、該ガン体の前端を封鎖し、
該回転蓋は、支軸を設置し、支軸により枢孔に軸接続し、これにより該リボン弾ユニットの定位の信頼性を向上させ、
該回転蓋は、該リボン弾ユニットの中央部分に向かい、圧迫制御部を設置し、該圧迫制御部は、該ストッパー板に対して圧迫制御を形成し、これにより、該リボン弾ユニットを撃発装置へと移動させ、該点火雷管と該撃針を緊密に接触させ、発射の信頼性を向上させる。
【発明の効果】
【０００９】
本発明は、加工と組立てが便利で、回転蓋とガン体との間の連接が堅固で安定し、照準を正確に合わせることができ、使用寿命を延長することもできる。さらに本発明は、回転蓋内縁の軸凸の凸軸と圧迫制御部により、リボン弾ユニットを相対させ定位し、撃針とリボン弾の点火雷管を緊密に接触させ、こうして発射の信頼性を向上させることができる。
【図面の簡単な説明】
【００１０】
【図１】本発明最適実施例の立体図である。
【図２】本発明最適実施例のガン体と回転蓋との組合せ概略図である。
【図３】本発明最適実施例の回転蓋の正面図である。
【図４】本発明最適実施例の回転蓋の側面図である。
【図５】本発明最適実施例のガン体、回転蓋、リボン弾ユニットの組合せ状態を示す側面概略図である。
【図６】本発明最適実施例のリボン弾ユニットの立体図である。
【図７】本発明最適実施例のリボン弾ユニットの別の角度からの立体図である。
【発明を実施するための形態】
【００１１】
以下に図面を参照しながら本発明を実施するための最良の形態について詳細に説明する。
【実施例】
【００１２】
図１、２に示すように、本発明最適実施例のリボンガンの構造は、ガン体１０、回転蓋２０、及び必要に応じて回転蓋２０に設置するガン管３０を備える。ガン体１０は、２個のハウジング片面１２が対応して合わさり組成し、先端が開放状を呈するハウジングである。ガン体１０は、引き金４１、撃針４２、軸芯４３、牽引具(図示なし)などにより構成する撃発装置を設置する。図５、６、７に示すように、リボン、カラーペーパーを充填する複数のリボン弾５１を、円形に排列して構成するリボン弾ユニット５０は、軸芯４３に軸設置する。こうして、軸芯４３と牽引具が、リボン弾ユニット５０を回転させることで、リボン、カラーペーパーは、連続して発射される。ガン体１０前端の開口部には、回転蓋２０を可動状態で設置する。回転蓋２０には、貫通孔２５を設置し、貫通孔２５外周には環状のカバー縁２１を設置する。これにより、ガン管３０を回転蓋３０に嵌設し、リボン弾５１を発射すると、リボン、カラーペーパーは、ガン管３０を通過し、外へと噴射される。
【００１３】
図６、７に示すように、リボン弾ユニット５０は、リボン、カラーペーパーを充填する複数のリボン弾５１を備える。リボン弾５１は、円形に排列して相互に接続する。リボン弾ユニット５０の軸芯には、各リボン弾５１外縁の形状に対応して回転孔５２を形成する。これにより、軸芯４３は、回転孔５２へと進入し、リボン弾ユニット５０を定位することができる。リボン弾５１一端には、点火雷管５１２を設置し、これにより、撃針４２は、点火雷管５１２に激突して、リボン弾５１を発射させる。上記した構成は、概ね従来のリボンガンと相同であるため、これ以上の詳述は行なわない。
【００１４】
リボン弾ユニット５０は、回転孔５２に近い回転蓋２０位置において、径方向に、ストッパー板５３を設置する。ストッパー板５３軸芯には、枢孔５４を開設する。図３、４、５に示すように、回転蓋２０周縁には、軸台２２と嵌合突起２４を設置し、しかも軸台２２と嵌合突起２４は、回転蓋２０の径方向の両端にそれぞれ設置する。軸台２２両側には、それぞれ軸棒２３を設置し、各軸棒２３は、各ハウジング片面１２とそれぞれ可動接続する。これにより、回転蓋２０は、軸棒２３を軸芯として、ガン体１０前端空間に向かって回る。こうして、ガン体１０の内部空間を開き、リボン弾ユニット５０の交換、充填を行なうことができる。嵌合突起２４は、嵌合部２４２を設置し、それはガン体１０に隣接する。ガン体１０頂点の先端に近い位置には、凸部１４を設置し、これにより嵌合突起２４は、嵌合部２４２と凸部１４の相対嵌接により、回転蓋２０を定位し、ガン体１０の前端を封鎖する。
【００１５】
回転蓋２０は、リボン弾ユニット５０の中央部分に向かい、支軸２６を設置する。支軸２６は、枢孔５４に軸接続し、これによりリボン弾ユニット５０回転作動時の、定位の信頼性を向上させる。回転蓋２０は、リボン弾ユニット５０の中央部分に向かい、圧迫制御部２７を設置する。圧迫制御部２７は、支軸２６外周に形成する環状体で、しかも圧迫制御部２７は、ストッパー板５３に対して圧迫制御を形成する。これにより、リボン弾ユニット５０を撃発装置へと移動させ、点火雷管５１２と撃針４２を緊密に接触させ、発射の信頼性を向上させる。
【００１６】
リボン弾ユニット５０を充填、交換する時には、嵌合突起２４を動かし、嵌合部２４２と凸部１４との間の嵌合状態を解除する。これにより、回転蓋２０は、軸棒２３を軸芯としてガン体１０前端の空間に向かい回り、こうしてガン体１０内部空間は前端へと向かい開放状を形成し、リボン弾ユニット５０を、ガン体１０内に充填し、或いはガン体１０内のリボン弾ユニット５０を取り出すことができる。上記したように、ガン体１０と回転蓋２０との間の構成により、加工と組立てが便利となり、しかも連接は安定し、照準合わせを正確に行なうことができるようになる。さらに、リボン弾ユニット５０の充填、交換時には、回転蓋２０の操作は容易となり、使用の利便性が向上する。
【００１７】
リボン弾ユニット５０をガン体１０に装填し、回転蓋２０を元通りに閉め、こうしてリボン弾ユニット５０をガン体１０内部に充填すると、支軸２６は、枢孔５４に進入する。これにより、支軸２６は、リボン弾ユニット５０の前端方向において、リボン弾ユニット５０軸芯に対して支持を形成することができ、リボン弾ユニット５０が、撃発装置に連動され回転作動を生じる時の定位の信頼性を向上させることができる。こうして、刺激を受けたリボン弾ユニット５０の前端は、貫通孔２５に対して、効果的に照準を合わせることができる。リボン弾ユニット５０をガン体１０に装填し、回転蓋２０を元通りに閉め、こうしてリボン弾ユニット５０をガン体１０内部に充填すると、圧迫制御部２７は、ストッパー板５３に接触して、圧迫制御する。これにより、リボン弾ユニット５０を撃発装置に向けわずかに移動させ、発射しようとするリボン弾は、その点火雷管５１２が撃針４２に対して形成する相対圧迫制御により、撃針４２をわずかに作動させる。これにより、点火雷管５１２と撃針４２は接触を保持し、使用者が引き金４１を引くと、撃針４２は、点火雷管５１２に確実に衝撃を与え、リボン弾を撃発することができる。
【産業上の利用可能性】
【００１８】
本発明は多数回の試験を経て、予期の目的を達成可能であることが確証された。しかもその機能は卓越しており、出願前に公開刊行物で未見で、及び公開使用の事実もないため、本発明は特許請求の要件である新規性を備えている。さらに、従来の同類製品に比べ十分な進歩を有し、実用性が高く、社会のニーズに合致しており、産業上の利用価値は非常に高い。
【符号の説明】
【００１９】
１０  ガン体
１２  ハウジング片面
１４  凸部
２０  回転蓋
２１  カバー縁
２２  軸台
２３  軸棒
２４  嵌合突起
２４２  嵌合部
２５  貫通孔
２６  支軸
２７  圧迫制御部
３０  ガン管
４１  引き金
４２  撃針
４３  軸芯
５０  リボン弾ユニット
５１  リボン弾
５１２  点火雷管
５２  回転孔
５３  ストッパー板
５４  枢孔
【図１】
2010269080.tif 000003
【図２】
2010269080.tif 000004
【図３】
2010269080.tif 000005
【図４】
2010269080.tif 000006
【図５】
2010269080.tif 000007
【図６】
2010269080.tif 000008
【図７】
2010269080.tif 000009